(57)【要約】【課題】カメラ本体の薄型化を維持しつつ、光学部品を確実に装着する。【解決手段】可撓性を有し、撮像装置１の前面２ａに臨まされたレンズ部３の周囲に設けられたレンズリング４の嵌合部３７に嵌合される嵌合片４６と、光学部品４３が装着される装着部４７とを有するアダプタリング４１と、アダプタリング４１の外周面に嵌合し、嵌合部３７に嵌合された嵌合片４６と対向し嵌合片４６の撓みを防止するロック位置と、ロック位置から退避するロック解除位置とに亘って操作されるロックリング４２とを備える。【選択図】図６
2008209648.tif 000002
【特許請求の範囲】
【請求項１】
可撓性を有し、撮像装置の前面に臨まされたレンズ部の周囲に設けられたレンズリングの嵌合部に嵌合される嵌合片と、光学部品が装着される装着部とを有するアダプタリングと、
上記アダプタリングの外周面に嵌合し、上記嵌合部に嵌合された上記嵌合片と対向し該嵌合片の撓みを防止するロック位置と、該ロック位置から退避するロック解除位置とに亘って操作されるロックリングとを備えるレンズアダプタ。
【請求項２】
上記レンズリングの上記嵌合部は、上記レンズ部の周回り方向に形成された凹溝からなり、
上記嵌合片には、上記凹溝に嵌合する凸部が形成されていることを特徴とする請求項１記載のレンズアダプタ。
【請求項３】
上記嵌合片は、上記アダプタリングの少なくとも３箇所に、等間隔で配置されていることを特徴とする請求項２記載のレンズアダプタ。
【請求項４】
上記ロックリングは、内周壁に、上記アダプタリングの外周に形成されたネジ溝と螺合するネジ部が形成され、上記ロック位置及び上記ロック解除位置との間を上記ネジ溝に沿って移動されることを特徴とする請求項１記載のレンズアダプタ。
【請求項５】
上記ロックリングは、上記ロック位置において、上記撮像装置の前面に当接し、移動が規制されることを特徴とする請求項１記載のレンズアダプタ。
【請求項６】
上記ロックリングは、上記ロック解除位置において、上記アダプタリングからの抜け止めが図られていることを特徴とする請求項１記載のレンズアダプタ。
【請求項７】
上記凹溝には、上記凸部の回転を規制する規制部が形成されていることを特徴とする請求項２記載のレンズアダプタ。
【請求項８】
上記アダプタリングは、上記レンズ部より上記撮像装置の前面側に突出されるズームレンズが進退可能な中空部が形成されていることを特徴とする請求項１記載のレンズアダプタ。
【請求項９】
上記ロックリングは、上記レンズに形成された反射防止部と対峙し、この反射防止部よりも小さい固定絞りが開口されていることを特徴とする請求項１記載のレンズアダプタ。
【請求項１０】
上記アダプタリングには、上記撮像装置に係止されることにより上記レンズリングでの回転が防止される回転防止片が形成されていることを特徴とする請求項１記載のレンズアダプタ。
【請求項１１】
装置本体の前面より撮像レンズを外方に臨ませるレンズ部と、
嵌合片及び光学部品が装着される装着部とを有するアダプタリングと、該アダプタリングの外周面に嵌合し、上記嵌合片と対向し該嵌合片の撓みを防止するロック位置と該ロック位置から退避するロック解除位置とに亘って操作されるロックリングとを備えるレンズアダプタの上記嵌合片に嵌合される嵌合部が形成され、上記レンズ部の周囲に設けられたレンズリングとを有する撮像装置。
【請求項１２】
上記レンズリングの上記嵌合部は、上記レンズ部の周回り方向に形成された凹溝からなり、上記嵌合片に設けられた凸部が嵌合されることを特徴とする請求項１１記載の撮像装置。
【請求項１３】
上記凹溝には、上記凸部の摺動を規制する規制部が形成されていることを特徴とする請求項１２記載の撮像装置。
【請求項１４】
上記レンズ部は、上記装置本体の前方に突出されるズームレンズを備えることを特徴とする請求項１１記載の撮像装置。
【発明の詳細な説明】
【技術分野】
【０００１】
本発明は、撮像装置に関し、特に、コンバージョンレンズ等の光学部品を取り付けるレンズアダプタ及び、レンズアダプタを用いる撮像装置に関する。
【背景技術】
【０００２】
従来より、デジタルスチルカメラでは、沈胴式のズームレンズを内蔵したものが多く採用されている。この種のデジタルスチルカメラでは、ズーム光学系がカメラボディに格納されることで、カメラの薄型化を損なうことなく、ズーム機能を実現しており、通常はカメラボディの電源を投入するとズームレンズが前面に突出し、電源を落とすとカメラボディ内に格納される。
【０００３】
しかし、薄型化が図られたカメラボディに内蔵されたズームレンズのみでは、倍率が限定されてしまうため、高倍率の画像を得るためには、別途テレコンバージョンレンズ等の光学部品をレンズ鏡筒に装着する必要がある。かかる光学部品がレンズ鏡筒に装着可能とされたデジタルスチルカメラには、例えば特許文献１（特開２０００−２３５２２２号公報）に記載されたものがある。特許文献１に記載のデジタルスチルカメラでは、カメラボディの前面に、ズームレンズユニットを格納する円筒形状のレンズ収納部を突出させ、このレンズ収納部の内壁にネジ溝を形成している。またテレコンバージョンレンズの一端にもネジ溝が形成されている。そして、レンズ収納部のネジ溝にテレコンバージョンレンズを螺合させることで、ズーム光学系に負荷をかけることなく装着している。なお、テレコンバージョンレンズは、不使用時にはレンズ収納部より取り外される。
【０００４】
しかし、テレコンバージョンレンズ等の光学部品をカメラボディに形成されたレンズ収納部に螺合させるデジタルスチルカメラでは、ネジ溝を複数周に亘って設ける領域を確保する必要があることから、レンズ収納部をカメラボディ前方に突出させなければならない。このレンズ収納部は、テレコンバージョンレンズを装着しないときにも、常時カメラボディから突出されるものであり、薄型化が図られたカメラボディにおいては、レンズ収納部が前方に突出されることで携帯性やデザイン性が損なわれてしまう。
【０００５】
一方で、レンズ収納部に形成するネジ溝を少なくし、レンズ収納部の突出量を短くすると、カメラボディの薄型化は損なわれないが、テレコンバージョンレンズとの接続信頼性を損なうおそれがある。
【０００６】
【特許文献１】特開２０００−２３５２２２号公報
【発明の開示】
【発明が解決しようとする課題】
【０００７】
そこで、本発明は、上述した課題を解決するものであり、カメラボディの薄型化を維持しつつ、テレコンバージョンレンズ等の光学部品を確実に装着できるレンズアダプタ及びこのレンズアダプタを用いる撮像装置を提供することを目的とする。
【課題を解決するための手段】
【０００８】
上述した課題を解決するために、本発明に係るレンズアダプタは、可撓性を有し、撮像装置の前面に臨まされたレンズ部の周囲に設けられたレンズリングの嵌合部に嵌合される嵌合片と、光学部品が装着される装着部とを有するアダプタリングと、上記アダプタリングの外周面に嵌合し、上記嵌合部に嵌合された上記嵌合片と対向し該嵌合片の撓みを防止するロック位置と、該ロック位置から退避するロック解除位置とに亘って操作されるロックリングとを備えるものである。
【０００９】
また、本発明に係る撮像装置は、装置本体の前面より撮像レンズを外方に臨ませるレンズ部と、嵌合片及び光学部品が装着される装着部とを有するアダプタリングと、該アダプタリングの外周面に嵌合し、上記嵌合片と対向し該嵌合片の撓みを防止するロック位置と該ロック位置から退避するロック解除位置とに亘って操作されるロックリングとを備えるレンズアダプタの上記嵌合片に嵌合される嵌合部が形成され、上記レンズ部の周囲に設けられたレンズリングとを有するものである。
【発明の効果】
【００１０】
本発明によれば、アダプタリングの撮像装置側に設けられたレンズリングへの装着を、嵌合片を嵌合部に嵌合させることにより行うと共に、ロックリングによって嵌合片と嵌合部との嵌合が外れることを防止できるため、レンズリングの高さを低く形成し撮像装置本体の薄型化を維持し、かつ光学部品を確実に装着することができる。
【発明を実施するための最良の形態】
【００１１】
以下、本発明が適用されたレンズアダプタ及び撮像装置について、図面を参照しながら詳細に説明する。本発明が適用された撮像装置は、図１に示すように、薄型化が図られたデジタルスチルカメラ１である。本発明が適用されたデジタルスチルカメラ１は、図１に示すように、外装を構成するカメラ本体２を有し、このカメラ本体２の前面２ａには、ズーム光学系を備えたレンズ部３と、レンズ部３の周囲に設けられレンズアダプタ４０が嵌合されるレンズリング４が形成されている。
【００１２】
また、カメラ本体２の前面２ａには、撮影補助光を発光するフラッシュ５、セルフタイマーランプ６、ファインダー窓７が設けられている。また、カメラ本体２の上面２ｂには、撮像を行うためのシャッタボタン８、カメラ本体２の電源のオンオフを行う電源スイッチ９、マイク１０が設けられている。さらに、図２に示すように、カメラ本体２の背面２ｃには、撮像した映像を表示するディスプレイ１１が設けられ、ディスプレイ１１の側方に、レンズ部３に形成されたズーム光学系を操作するズーム操作スイッチ１２、静止画撮影モード、動画撮影モード、再生モードの切り換えを行なうためのモード切り換えスイッチ１３や、ディスプレイ１１上にメニューを表示させるためのメニュースイッチ１４、ディスプレイ１１上に表示されるメニューを選択するなどの操作を行うためのコントロールスイッチ１５などが設けられている。
【００１３】
レンズ部３は、図３に示すように、ＣＣＤやＣＭＯＳセンサからなる撮像素子１７を備え、撮像レンズから取り込んだ被写体像を撮像素子１７に導くズーム光学系及びフォーカス光学系が構成されている。
【００１４】
かかるデジタルスチルカメラ１は、撮像素子１７で撮像された像が撮像信号として画像処理部１８に出力され、画像処理部１８ではこの撮像信号に対して処理がなされることで静止画あるいは動画の画像データが生成され、メモリカード等の記憶媒体１９に記録される。また、前記画像データは、表示処理部２０によりディスプレイ１１に表示される。
【００１５】
さらに、デジタルスチルカメラ１は、シャッタボタン８、電源スイッチ９、ズーム操作スイッチ１２、モード切り換えスイッチ１３、メニュースイッチ１４、コントロールスイッチ１５、などの各種操作スイッチの操作に応じて、画像処理部１８、表示処理部２０などを制御するＣＰＵなどを含む制御部２１を備えている。
【００１６】
次いで、デジタルスチルカメラ１の前面２ａに設けられたレンズ部３及びレンズリング４について説明する。レンズ部３は、いわゆる沈胴式のズームレンズを内蔵し、電源を切るとレンズ鏡筒３０がカメラ本体２内に収納され、電源を投入するとレンズ鏡筒３０がカメラ本体２の前面２ａ側に突出される。レンズ鏡筒３０は、カメラ本体２の前面２ａより一端が臨まされている固定鏡筒３１と、固定鏡筒３１の内側に配設された外側可動鏡筒３２と、外側可動鏡筒３２の内側に配設された内側可動鏡筒３３とを備える。そしてレンズ鏡筒３０は、図１に示すように、カメラ本体２の電源が投入されると、固定鏡筒３１の前方に外側可動鏡筒３２が突出され、また外側可動鏡筒３２の前方に内側可動鏡筒３３が突出される。
【００１７】
固定鏡筒３１は、カメラ本体２内に配設されるとともに、一端がカメラ本体２の前面２ａより突出され、レンズリング４と略同じ突出高さを有する。固定鏡筒３１内には、レンズ枠が配設され、固定レンズ群を支持している。外側可動鏡筒３２は、固定鏡筒３１の内径と略同一径を有し、固定鏡筒３１より前方に進退可能に支持されている。また外側可動鏡筒３２は、レンズ枠が配設され、ズームレンズ群を支持している。
【００１８】
内側可動鏡筒３３は、外側可動鏡筒３２の内径と略同一径を有し、外側可動鏡筒３２よりも前方に進退可能に支持されている。また内側可動鏡筒３３は、レンズ枠が配設され、ズームレンズ群を支持している。また内側可動鏡筒３３は、先端部にレンズカバー３４が開閉自在に配設されており、カメラ本体２の電源が投入されレンズ鏡筒３０が突出されるとレンズカバー３４が開放され、カメラ本体２の電源が切られレンズ鏡筒３０がカメラ本体２内に収納されるとレンズカバー３４が閉塞され撮像レンズを保護している。
【００１９】
さらに、内側可動鏡筒３３は、前面３３ａに、後述するレンズアダプタ４０，６０が装着された際における、レンズアダプタ４０，６０内での反射を防止する反射防止部３５が形成されている。反射防止部３５は、内側可動鏡筒３３のレンズ窓３６の周囲に亘って形成され、光の反射を防止する黒色塗装領域からなる。この反射防止部３５は、後述するレンズアダプタ４０，６０に形成された固定絞り４８，７１と対峙して、これら固定絞りの面積と同等以上の面積を有する。したがって、デジタルスチルカメラ１は、レンズアダプタ４０，６０内で入射光が反射することを防止して、ゴーストやフレアの発生を抑止することができる。
【００２０】
レンズ部３は、カメラ本体２内に収納されると、外側可動鏡筒３２及び内側可動鏡筒３３が固定鏡筒３１と面一か、やや前面２ａ側に退避され、不使用時における携帯性の向上や、レンズ部３の破損等が防止されている。
【００２１】
このレンズ部４０の周囲に形成されたレンズリング４は、図４に示すように、カメラ本体２の前面２ａ上に形成された環状部材であり、内径が固定鏡筒３１の外径と略同一に形成され、レンズ部３とほぼ隙間なく配設されている。またレンズリング４は、カメラ本体２の前面２ａからの高さが固定鏡筒３１と略同一に形成されることにより、レンズ部３を保護している。
【００２２】
レンズリング４は、外周面に周回り方向に沿って嵌合部３７が形成されている。嵌合部３７は、レンズリング４の外周面に形成された凹溝３８からなり、後述するレンズアダプタ４０と嵌合する。このようにレンズリング４は、レンズアダプタ４０との嵌合を、凹溝３８からなる嵌合部３７を介して行うものであるため、凹溝３８のみを穿設可能な高さを備えていればよく、ネジ溝を介してレンズアダプタと嵌合するタイプにおいてネジ溝を複数周に亘って高さ方向に穿設する場合に比して、前面２ａからの突出高さを低く抑えることができる。
【００２３】
また凹溝３８には、レンズアダプタ４０のアダプタリング４１の回転を規制する規制壁３９が形成されている。規制壁３９は、凹溝３８内に規制ブロック３９ａを配置し、この規制ブロック３９ａにアダプタリング４１の嵌合凸部５１が当接される。この規制壁３９は、凹溝３８の任意の一箇所又は複数箇所に設けられている。なお、規制ブロック３９ａは、凹溝３８から突出しない程度の高さに配設されるが、図５に示すように、凹溝３８から突出させてもよい。
【００２４】
次いで、レンズリング４に嵌合されるレンズアダプタ４０について説明する。レンズアダプタ４０は、テレコンバージョンレンズ等の光学部品４３をカメラ本体２に取り付ける際にアダプタとなるものであり、図６に示すように、レンズリング４に嵌合されるアダプタリング４１と、アダプタリング４１をレンズリング４から着脱させるロックリング４２とを備える。そして、レンズアダプタ４０は、アダプタリング４１の外周面にロックリング４２が嵌合されることにより一体化されている。
【００２５】
アダプタリング４１は、図７に示すように、略円筒形のリング本体４５を有し、リング本体４５の高さ方向の一端４５ａにレンズリング４の嵌合部３７と嵌合される嵌合片４６が形成され、高さ方向の他端４５ｂに、光学部品が装着される装着部４７及び装着部４７近傍に開口された固定絞り４８が形成されている。リング本体４５は、ロックリング４２が嵌合する嵌合溝５０が外周面に、周回り方向に沿って形成されている。
【００２６】
リング本体４５の高さ方向の一端４５ａに形成されている嵌合片４６は、リング本体４５の周回り方向に沿って一定間隔毎に均等配置され、少なくとも３つ、図７（ａ）では６つ形成されている。嵌合片４６が均等配置されることにより、レンズアダプタ４０は、全方向からの衝撃に対抗することができ、レンズリング４からの脱落が防止できる。
【００２７】
この嵌合片４６は、図７（ａ）に示すように、リング本体４５の内外方向への可撓性を有し、内周面にレンズリング４の凹溝３８に嵌合する嵌合凸部５１が形成され、外周面にロックリング４２に当接される当接凸部５２が形成されている。
【００２８】
嵌合凸部５１は、断面が略半円状の凸がリング本体４５の周回り方向に沿って形成されてなる。嵌合凸部５１は、図８に示すように、断面略半円状に形成されることにより、凹溝３８への着脱が容易となる。また嵌合凸部５１は、端面が平面形状をなし、レンズリング４の凹溝３８に嵌合するとともに、この凹溝３８内を移動されると、規制壁３９と端面とが当接し、凹溝３８内での移動が規制される。したがって、レンズリング４の嵌合部３７に嵌合されたアダプタリング４１は、嵌合凸部５１が凹溝３８内を移動していき規制壁３９と当接されると、一方及び他方への回転が規制され、装着部４７への光学部品４３の着脱が可能となる。
【００２９】
なお、嵌合凸部５１は、図７（ｂ）に示すように、レンズリング４の凹溝３８内に設けられた規制ブロック３９ａの幅に応じた幅の間隙部５１ｃを開けて形成してもよい。アダプタリング４１は、いったん間隙部５１ｃが規制ブロック３９ａに係合されると、一方及び他方への回動が規制されるため、再度嵌合凸部５１を周回させることなく移動を規制でき、素早く光学部品４３の着脱を行うことができる。
【００３０】
嵌合片４６の外周面に形成されている当接凸部５２は、断面が略半円状の凸がリング本体４５の周回り方向に沿って形成されてなる。アダプタリング４１は、当接凸部５２がロックリング４２に当接されることにより、嵌合片４６の外側への撓みが防止される。
【００３１】
かかるリング本体４５は、嵌合片４６が形成された一端４５ａ側の径がレンズリング４と略同一の径を有しているため、嵌合片４６が若干外方に撓まされながら圧入され、嵌合凸部５１がレンズリング４の凹溝３８に周回自在に嵌合される。なお、嵌合片４６は、少なくとも３つ以上が均等配置されているため、各嵌合片４６の外周方向への曲率を小さくでき、レンズリング４への圧入時あるいは取り外し時において外方へ撓みやすくなり、ユーザによる着脱が容易となる。
【００３２】
また嵌合片４６には、ロックリング４２を係止することによりロックリング４２の抜け止めを図る係止片４４が突設されている。係止片４４は、アダプタリング４１の高さ方向の他端４５ｂ側に向かって立設され、先端が鉤状に形成されている。そして、係止片４４は、鉤状の先端にロックリング４２の係止突部５５が当接されることにより、他端４５ｂ側への抜け止めを図る。なお係止片４４は、嵌合片４６の全て、あるいは等間隔毎に立設されている。
【００３３】
リング本体４５の高さ方向の他端４５ｂに形成されている装着部４７は、リング本体４５の内周面にネジ溝が形成されてなる。この装着部４７には、テレコンバージョンレンズなどの光学部品４３の外周面に形成されているネジ溝が螺合される。なお、凹溝３８に嵌合された嵌合凸部５１は、その端面が上述した規制壁３９に当接されると、回転が規制される。したがって、アダプタリング４１は、光学部品４３を装着しあるいは取り外す際に光学部品４３を回転させると、リング本体４５も共に回転されるが、嵌合凸部５１が規制壁３９に当接するとリング本体４５の回転が規制され、リング本体４５に対する光学部品４３の着脱が可能となる。
【００３４】
またアダプタリング４１は、中空円筒状に形成されることにより、カメラ本体２のズーム光学系を構成するレンズ部３の外側可動鏡筒３２及び内側可動鏡筒３３が延在する中空部４９が形成されている。したがって、アダプタリング４１は、レンズ部３が望遠側に操作されて、外側可動鏡筒３２及び内側可動鏡筒３３が最もカメラ本体２の前面２ａ側に突出した場合にも、中空部４９内に延在されるため、外側可動鏡筒３２及び内側可動鏡筒３３と干渉することがない。
【００３５】
かかるアダプタリング４１に嵌合されるロックリング４２は、略円筒形をなし、図９及び図１０に示すように、アダプタリング４１の外周に、高さ方向に移動自在に嵌合されている。ロックリング４２は、高さ方向の一端４２ａ側の内径が他端４２ｂ側の内径よりも若干大きく形成されている。また、ロックリング４２は、他端４２ｂ側内周面にアダプタリング４１の外周に形成されている嵌合溝５０と嵌合されるネジ溝５３が形成され、一端４２ａ側内周面に嵌合溝５０と空転する空転部５４及びアダプタリング４１からの抜け止めを図る係止突部５５及び係止段部５６が周回り方向に形成されている。
【００３６】
かかるロックリング４２は、ユーザによって一方又は他方に回転されると、ネジ溝５３がアダプタリング４１の嵌合溝５０に沿って移動されることによりアダプタリング４１の高さ方向にスライドしていく。具体的に、ロックリング４２は、ネジ溝５３が嵌合溝５０に沿ってアダプタリング４１の高さ方向の一端側にスライドされると、一端４２ａ側の端面がカメラ本体２の前面２ａに当接され、これ以上のスライドが規制される。これにより、図９に示すように、ロックリング４２は、一端側の内周壁がアダプタリング４１の嵌合片４６と対向し、嵌合片４６に形成された当接凸部５２を外側から支持するロック位置にスライドされる。ロックリング４２がロック位置にスライドされると、嵌合片４６は、外方への撓むことが防止されるため、嵌合凸部５１の凹溝３８からの脱落が防止される。
【００３７】
一方、ロックリング４２は、ネジ溝５３が嵌合溝５０に沿ってアダプタリング４１の高さ方向の他端側にスライドされると、ネジ溝５３と嵌合溝５０との係合が解除され、嵌合溝５０が空転部５４に位置されるとともに、嵌合片４６の係止片４４が係止突部５５に係止される。したがって、ロックリング４２は、アダプタリング４１の他端側に回転させていくと、アダプタリング４１に対して空転すると共に、係止突部５５が係止片４４に係止することによりアダプタリング４１からの抜け止めが図られる。これにより、図１０に示すように、ロックリング４２は、一端側の内周壁がアダプタリング４１の嵌合片４６と対向するロック位置から退避し、嵌合凸部５１と凹溝３８との嵌合を解除可能とするロック解除位置にスライドされる。ロックリング４２がロック解除位置にスライドされると、嵌合片４６は、外方をロックリング４２に支持されていないため、自由に外側に撓むことができ、嵌合部３７へ装着可能となり、また嵌合部３７からの取り外しが可能になる。
【００３８】
以上のようなレンズアダプタ４０は、図１０に示すように、ロックリング４２が嵌合片４６の当接凸部５２と対向しないロック解除位置にスライドされた状態で、アダプタリング４１がレンズリング４の嵌合部３７に嵌合される。アダプタリング４１は、ロックリング４２がロック解除位置にスライドされているため、嵌合片４６が外方に撓むことができ、嵌合凸部５１が凹溝３８へ圧入される。
【００３９】
嵌合凸部５１が凹溝３８に嵌合された後、ロックリング４２がロック位置へスライドする一方向へ回転されると、ロックリング４２とともにアダプタリング４１がレンズリング４の嵌合部３７を回転し、嵌合凸部５１が凹溝３８を移動する。そして嵌合凸部５１が凹溝３８内に設けられた規制壁３９に当接すると、アダプタリング４１の回転が規制される。この状態で、さらにロックリング４２が一方へ回転されると、ネジ溝５３が嵌合溝５０に咬合しながらロックリング４２がリング本体４５の一端４５ａ側へスライドしていき、アダプタリング４１の嵌合片４６と対向するロック位置まで移動される。このとき、ロックリング４２は、一端４２ａ側の端面がカメラ本体２の前面２ａに当接し、スライドが規制される。図９に示すように、ロックリング４２がロック位置までスライドされたことにより、アダプタリング４１は、当接凸部５２にロックリング４２が当接し、嵌合片４６の外方への撓みが規制されるため、嵌合部３７からの脱落が防止される。
【００４０】
次いで、アダプタリング４１の装着部４７にテレコンバージョンレンズ等の光学部品４３が装着される。光学部品４３は、アダプタリング４１に対して一方向に回転されることで螺合される。ここで、アダプタリング４１が規制壁３９によって当該一方向への回転が規制されているため、光学部品４３は、アダプタリング４１に対して当該一方向へ回転可能となっており、これにより装着部４７へ装着される。
【００４１】
デジタルスチルカメラ１は、レンズアダプタ４０がレンズリング４に装着された状態でも、レンズ部３のズーム光学系をテレ方向あるいはワイド方向に操作可能とされている。すなわち、レンズ鏡筒３０は、図９に示すように、ワイド端Ｗのみならずテレ端Ｔにおいても内側可動鏡筒３３がアダプタ４０の内部と干渉することなく突出可能とされている。
【００４２】
光学部品４３を装着部４７から外す場合は、アダプタリング４１に対して当該一方向と反対の他方向に回転することにより行う。このとき、光学部品４３を他方向に回転させると、当初はアダプタリング４１も他方向へ回転するが、すぐに嵌合凸部５１が規制壁３９に当接し、他方向の回転が規制される。したがって光学部品４３は、アダプタリング４１に対して他方向に回転させることができ、装着部４７から外れる。
【００４３】
次いで、アダプタリング４１の他方向への回転が規制された状態で、ロックリング４２を他方向に回転させると、ネジ溝５３が嵌合溝５０と咬合しながらリング本体４５の他端４５ｂ側にスライドし、当接凸部５２と対向しないロック解除位置までスライドされる。このロック解除位置では、ネジ溝５３と嵌合溝５０との係合が解除され、嵌合溝５０が空転部５４に位置されるとともに、嵌合片４６の係止片４４が係止突部５５に係止される。したがって、ロックリング４２は、アダプタリング４１に対して空転すると共に、係止突部５５が係止片４４に係止することによりアダプタリング４１からの抜け止めが図られる。また、アダプタリング４１は、嵌合片４６の外方への撓みが可能となり、ユーザの操作により簡単に嵌合部３７から取り外される。
【００４４】
以上のようなレンズアダプタ４０によれば、アダプタリング４１のデジタルスチルカメラ１側に設けられたレンズリング４への装着を、凹溝３８と嵌合凸部５１を嵌合させることにより行うと共に、ロックリング４２によって凹溝３８と嵌合凸部５１との嵌合が外れることを防止できるため、レンズリング４の高さを低く形成しカメラ本体２の薄型化を維持し、かつテレコンバージョンレンズ等の光学部品を確実に装着することができる。
【００４５】
また、本発明が適用されたレンズアダプタは、以下のように形成することもできる。このレンズアダプタ６０は、図１１に示すアダプタリング６１の外周に、図１２に示すロックリング６２が周回り方向に回転自在に嵌合されることにより構成されている。そして、レンズアダプタ６０は、ロックリング６２が、アダプタリング６１をレンズリング４に嵌合させるロック位置と、アダプタリング６１とレンズリング４との嵌合を解除するロック解除位置に亘って回転操作されるものである。
【００４６】
アダプタリング６１は、上述したアダプタリング４１と同様に、円筒状のリング本体６３の一端６３ａ側に嵌合片６４が周回り方向に一定間隔毎に複数形成され、リング本体６３の他端６３ｂ側に光学部品４３の装着部６５が形成されている。
【００４７】
図１３に示すように、嵌合片６４は、リング本体６３の内外方向への可撓性を有し、内周面にレンズリング４の凹溝３８に嵌合する嵌合凸部６６が形成され、外周面にロックリング６２に当接される当接凸部６７及びロックリング４２の抜け止めを図る係止片６８が形成されている。これら嵌合凸部６６、当接凸部６７及び係止片６８の構成は、上述した嵌合凸部５１、当接凸部５２及び係止片４４と同様であるため、詳細は省略する。
【００４８】
またリング本体６３は、外周部に、ロックリング６２の内周と回転自在に係合する係合突部６９が周回り方向に沿って立接されている。さらにリング本体６３は、他端６３ｂ側の外周部に、ロックリング６２のロック位置あるいはロック解除位置への回転に応じてユーザにクリック感を与えるクリック凹部７０が形成されている。クリック凹部７０は、ロックリング６２側に設けられたクリック凸部７４が係合することによりクリック感を与える。
【００４９】
また、リング本体６３の他端６３ｂ側の端面には、固定絞り７１が開口されている。固定絞り７１は、上述した固定絞り４８と同様に、アダプタリング６１が嵌合部３７に嵌合されると、レンズ部３に形成された反射防止部３５と対峙される。なお反射防止部３５は、固定絞り７１の面積と同等以上の面積を有し、レンズアダプタ６０内で入射光の反射を防止している。
【００５０】
かかるアダプタリング６１は、上記アダプタリング４１と同様に、レンズリング４の凹溝３８に嵌合凸部６６が圧入されることにより嵌合部３７と嵌合され、また嵌合凸部６６が凹溝３８を周回し、その端面が規制壁３９に当接されると、回転が規制される。
【００５１】
アダプタリング６１と嵌合するロックリング６２は、略円筒形をなし、アダプタリング４１の外周に、周回り方向に移動自在に嵌合されている。このロックリング６２は、高さ方向の一端６２ａ側内周面にアダプタリング６１の嵌合片６４の外周部に形成された当接凸部６７に当接されるロック片７２が嵌合片６４の数に応じて、周回り方向に一定間隔毎に複数形成されている。ロック片７０は、ロックリング６２の周回り方向に沿って中心方向に向かって膨出形成されており、ロックリング６２がアダプタリング６１の周回り方向に回転されることにより、嵌合片６４と対向し当接凸部６７と当接するロック位置と、嵌合片６４と対向しないロック解除位置とに亘って回動される。
【００５２】
そして、図１３及び図１４に示すように、ロック位置に回動されたロック片７２は、当接凸部６７と当接されることにより、嵌合片６４を外方に撓むことを防止する。したがって、アダプタリング６１は、嵌合片６４の嵌合凸部６６がレンズリング４の凹溝３８から外れることが防止される。一方、ロック解除位置に回動されたロック片７２は、当接凸部６７と対向されない位置へ移動する。したがって、アダプタリング６１は、当接凸部６７がロック片７２に支持されていないため、嵌合片６４が外側に撓んで嵌合凸部６６が凹溝３８から外れることができ、嵌合部３７から取り外しができるようになる。
【００５３】
ロックリング６２の高さ方向のほぼ中間には、アダプタリング６１に設けられた係合凸部６９と係合される係合溝部７３が周回り方向に沿って形成されている。ロックリング６２は、係合溝部７３が係合凸部６９に係合することにより、アダプタリング６１の外周を回動可能に支持される。
【００５４】
またロックリング６２の高さ方向の他端６２ｂ側内周面には、アダプタリング６１に設けられたクリック凹部７０と係合するクリック凸部７４が形成されている。クリック凸部７４及びクリック凹部７０は、それぞれアダプタリング６１、ロックリング６２の他端側内周に設けられ、ロックリング６２のロック片７０がロック位置及びロック解除位置へ回転されるときに係合し、ユーザにクリック感を与える。これによりユーザは、ロックリング６２がロック位置あるいはロック解除位置まで回転されたことを認識できる。
【００５５】
これらアダプタリング６１及びロックリング６２は、ロック位置及びロック解除位置の間を回動可能とされている。これは、アダプタリング６１にロックリング６２の回転規制溝を周回り方向に形成すると共に、ロックリング６２に当該回転規制溝に挿通される係合片を形成する。回転規制壁の一端はロック位置に対応し、回転規制壁の他端はロック解除位置に対応して形成されているため、ロックリング６２は、アダプタリング６１の外周を一方向に回転されロック位置まで移動されると、同方向への回転が規制され他方向のみ回転可能とされる。同様に、アダプタリング６１は、アダプタリング６１の外周を他方向に回転されロック解除位置まで移動されると、同方向への回転が規制され一方向のみ回転可能とされる。
【００５６】
このようにレンズアダプタ６０は、ロックリング６２をロック位置あるいはロック解除位置に回転させると、操作者にクリック感を与えるとともに、回転を規制することで、アダプタリング６１の嵌合片６４のロックあるいはロック解除を行うことができる。
【００５７】
なお、ロックリング６２の回転規制は、ロックリング６２の係合溝部７３に、アダプタリング６１に立接された係合凸部６９の回動領域を規定する一対の壁を形成し、この壁の間を回動可能とすることにより行うこともできる。この場合、ロックリング６２は、一方の壁をロック位置に対応させ、他方の壁をロック解除位置に対応させることにより、アダプタリング６１に対して一方あるいは他方に回転されて、ロック位置あるいはロック解除位置まで移動されると、アダプタリング６１に対するそれ以上の同方向への回転が規制され、他方向のみ回転可能とされる。
【００５８】
以上のようなレンズアダプタ６０は、ロックリング６２がロック片７０と嵌合片６４とが対向しないロック解除位置に回転された状態で、アダプタリング６１がレンズリング４の嵌合部３７に嵌合される。アダプタリング６１は、ロックリング６２がロック解除位置に回転されているため、嵌合片６４が外方に撓むことができ、嵌合凸部６６が凹溝３８へ圧入される。
【００５９】
嵌合凸部６６が凹溝３８に嵌合された後、ロックリング６２がロック位置へ移動する一方向へ回転されると、ロックリング６２とともにアダプタリング６１がレンズリング４の嵌合部３７を回転し、嵌合凸部６６が凹溝３８を移動する。そして嵌合凸部６６が凹溝３８内に設けられた規制壁３９に当接すると、アダプタリング６１の回転が規制される。この状態で、さらにロックリング６２が一方へ回転されると、ロック片７２がアダプタリング６１の嵌合片６４と対向するロック位置まで移動され、同方向への回転が規制される。ロックリング６２がロック位置まで移動されたことにより、アダプタリング６１は、当接凸部６７にロック片７２が当接し、嵌合片６４の外方への撓みが規制されるため、嵌合部３７からの脱落が防止される。
【００６０】
次いで、アダプタリング６１の装着部６５にテレコンバージョンレンズ等の光学部品４３が装着される。光学部品４３は、アダプタリング６１に対して一方向に回転されることで螺合される。したがって、アダプタリング６１が規制壁３９によって当該一方向への回転が規制されているため、光学部品４３の装着が可能とされている。
【００６１】
光学部品４３を装着部６５から外す場合は、アダプタリング６１に対して当該一方向と反対の他方向に回転することにより行う。このとき、光学部品４３を他方向に回転させると、当初はアダプタリング６１も他方向へ回転するが、すぐに嵌合凸部６６が規制壁３９に当接し、他方向の回転が規制される。したがって光学部品４３は、アダプタリング６１に対して他方向に回転させることができ、装着部６５から外れる。
【００６２】
次いで、アダプタリング６１の他方向への回転が規制された状態で、ロックリング６２を他方向に回転させると、ロック片７２が当接凸部６７と対向しないロック解除位置まで移動され、このロック解除位置で回転が規制される。したがってアダプタリング６１は、嵌合片６４の外方への撓みが可能となり、ユーザの操作により簡単に嵌合部３７から取り外される。
【００６３】
また、本発明が適用されたレンズアダプタは、以下のように構成することもできる。このレンズアダプタに用いられるアダプタリング８０は、図１５に示すように、リング本体８１の高さ方向の一端８１ａに回転防止片８２が取り付けられている。回転防止片８２は、カメラ本体２の側面２ｄに係止されることにより、アダプタリング６１の回転を防止するものであり、一嵌合片より垂下されて形成されている。
【００６４】
回転防止片８２は、アダプタリング８０が嵌合部３７に嵌合されると、図１６に示すように、カメラ本体２の側面２ｄに係止される。これによりアダプタリング８１は、周回り方向への回転が規制される。これにより、ロックリング４２，６２のロック位置及びロック解除位置への回転、あるいは光学部品４３の着脱が可能となり、嵌合部３７の凹溝３８に規制壁３９を設ける必要がなくなる。
【００６５】
なお、本発明が適用されたデジタルスチルカメラ１及びレンズアダプタ４０，６０は、上述したレンズリング４の外周に嵌合凸部を形成し、アダプタリング４１，６１の内周面に凹溝を形成してもよい。
【００６６】
また、本発明は上記実施の形態に限定されるものではない。上述した例では光学部品としてテレコンバージョンレンズを記載したが、マクロコンバージョンレンズやフィルタ等を連結してもよい。また、レンズ鏡筒としてズームレンズを記載したが、沈胴式の単焦点レンズでもよい。さらに、撮像装置としてデジタルスチルカメラ以外のカメラにも適用することができる。このほか、本発明の要旨を逸脱しない範囲で種々変形実施可能であるのは勿論である。
【図面の簡単な説明】
【００６７】
【図１】本発明が適用された撮像装置の前面側を示す斜視図である。
【図２】本発明が適用された撮像装置の背面側を示す斜視図である。
【図３】本発明が適用された撮像装置の機能ブロック図である。
【図４】レンズリングを示す斜視図である。
【図５】他のレンズリングを示す斜視図である。
【図６】本発明が適用された撮像装置及びレンズアダプタを示す斜視図である。
【図７】アダプタリングを示す斜視図である。
【図８】凹溝に嵌合された嵌合凸部を示す断面図である。
【図９】ロックリングがロック位置にスライドされたレンズアダプタ及びデジタルスチルカメラを示す断面図である。
【図１０】ロックリングがロック解除位置にスライドされたレンズアダプタ及びデジタルスチルカメラを示す断面図である。
【図１１】本発明が適用された他のレンズアダプタのアダプタリングを示す斜視図である。
【図１２】本発明が適用された他のレンズアダプタのロックリングを示す斜視図である。
【図１３】本発明が適用された他のレンズアダプタがカメラ本体２の前面２ａに装着された様子を示す断面図である。
【図１４】本発明が適用された他のレンズアダプタにおいて、ロックリングがロック位置に回転された様子を示す断面図である。
【図１５】本発明が適用された他のアダプタリングを示す斜視図である。
【図１６】本発明が適用された他のアダプタリングが装着された撮像装置を示す斜視図である。
【符号の説明】
【００６８】
１  デジタルスチルカメラ、２  カメラ本体、３  レンズ部、４  レンズリング、３０  レンズ鏡筒、３１  固定鏡筒、３２  外側可動鏡筒、３３  内側可動鏡筒、３５  反射防止部、３７  嵌合部、３８  凹溝、３９  規制壁、３９ａ  規制ブロック、４０  レンズアダプタ、４１  アダプタリング、４２  ロックリング、４３  光学部品、４４  係止片、４５  リング本体、４６  嵌合片、４７  装着部、４８  固定絞り、４９  中空部、５０  嵌合溝、５１  嵌合凸部、５２  当接凸部、５３  ネジ溝、５４  空転部、５５  係止突部、５６  係止段部、７２  ロック片、７３  係合溝部、８２  回転防止片
【図１】
2008209648.tif 000003
【図２】
2008209648.tif 000004
【図３】
2008209648.tif 000005
【図４】
2008209648.tif 000006
【図５】
2008209648.tif 000007
【図６】
2008209648.tif 000008
【図７】
2008209648.tif 000009
【図８】
2008209648.tif 000010
【図９】
2008209648.tif 000011
【図１０】
2008209648.tif 000012
【図１１】
2008209648.tif 000013
【図１２】
2008209648.tif 000014
【図１３】
2008209648.tif 000015
【図１４】
2008209648.tif 000016
【図１５】
2008209648.tif 000017
【図１６】
2008209648.tif 000018